(57)【特許請求の範囲】
【請求項１】
プレマスタード領域及び再書込可能領域を具え、前記プレマスタード領域の一部が、前記再書込可能領域のリード−イン領域の位置に関するポインタ情報を記録する領域を具え、前記再書込可能領域の前記リード−イン領域が、前記再書込可能領域に記録される情報のアイテムを識別し、且つこれらのアイテムの位置を突き止める再書込可能な目次を有することを特徴とする記録媒体。
【請求項２】
前記プレマスタード領域が、この領域における情報のアイテムを識別すると共に、これらのアイテムの位置を突きとめる読取専用目次を有し、且つ前記ポインタ情報が前記読取専用目次に含まれることを特徴とする請求項１に記載の記録媒体。
【請求項３】
前記プレマスタード領域が主データを含む主チャネル情報及び前記ポインタ情報を含むサブコードチャネル情報を有することを特徴とする請求項１又は２に記載の記録媒体。
【請求項４】
前記ポインタ情報が前記再書込可能な目次の位置を規定することを特徴とする請求項１、２又は３に記載の記録媒体。
【請求項５】
前記再書込可能な目次が、当該記録媒体に記録されたアイテムに対するユーザの好みの再生時系列を規定する情報を有することを特徴とする請求項１、２、３又は４に記載の記録媒体。
【発明の詳細な説明】
【０００１】
【発明の属する技術分野】
本発明は、プレマスタード領域及び再書込可能領域を具えている記録媒体上に記録され、該記録媒体上の予定した複数位置に配置される複数のアイテムを含む情報を再生する再生装置及び記録媒体に情報を記録する装置並びにこれらを組合せた記録兼再生装置にて使用する記録媒体に関するものである。
【０００２】
【従来の技術】
冒頭にて述べた種類の装置は、例えばコンパクト−ディスク・デジタル・オーディオ（CD−DA)プレーヤ形態で知られており、この場合における記録媒体はオーディオ信号を表わすコード化したデジタルデータを含んでいる光学的に読取り可能なディスクである。オーディオ情報は単一らせんトラックに沿って連続時系列にて記憶されるが、このオーディオ情報の記録部分は、ディスクにそのオーディオデータと平行に記憶させたサブコードによって首尾よく識別することができる。サブコードは再生中に現行のトラック番号（例えば１つの曲目を識別する）、インデックス（トラック内のさらに小さな領域を識別する）及びディスクのスタート時点からの経過時間（絶対時間）や、トラックのスタート時点からの経過時間（相対時間）を与える値を示す。
【０００３】
前記アイテム（本明細書では、再生装置によって再生すべき、例えば記録媒体における個別の長さのトラックに記録された或る曲目のような情報のことをアイテムと称する）を識別し得るコードは、再生すべき個々のアイテムを選択するためにユーザがキーパッドを介して入力させることができる。これらのコードはトラック番号によるか、トラック番号とインデックスによるか、又は経過時間の座標を特定化することのいずれかによってアイテムを識別することができる。これら３つのオプションにより、再生すべきアイテムの選定自由度が首尾良く向上するも、ユーザにとっては操作が複雑になり、又プレーヤもさらに高価となる。
【０００４】
斯種の装置ではユーザがもっと自由にプレーヤの作動を制御し得るようにすることが切望されている。従って、プレーヤによっては、ユーザが予じめ多数のアイテムを選択し得るようにプログラムメモリの如き機能を組込んでいるものもある。このようなものを設けるのは、ユーザが記録媒体に記録されている全てのアイテムを必ずしも聴きたいとは限らず、及び／又はこれらのアイテムが記録されている順序とは異なる順序で再生することを望むことが屡々あるからである。
【０００５】
さらに精巧なレベルのものとしては、エヌ・ベー・フィリップス・フルーイライペンファブリケン社から「フェイバリット・トラック・セレクション」（好みのトラック選択）即ちFTSと称される機能を組込んだCD−DAプレーヤが生産されている。その一例は形式番号CD−650として市販されており、これは多数の種々の各記録内容に対してユーザ好みのトラック番号のリストを記憶させるようにしたものである。FTS機能については欧州特許出願公開明細書0169597号に詳述されているが、その概要からすると、FTSを有している従来のプレーヤは不揮発性メモリを有し、これに多数の記録媒体（コンパクトディスク）に対するユーザ好みのトラック番号のリストを記憶させるようにしたものである。各リストはディスクに記憶させたデータから任意のバイトを選択することによって作ったコードを含んでいるヘッダを有している。あらゆる実用的な目的のために、コードは各記録に対して特有なものとし、このコードはプレーヤに装填したディスクがユーザ好みの順序で記憶させたものであるかどうかを識別するのに用いられる。従って、特定の予め記録したディスクにおけるユーザ気に入りのトラックを一般に毎日は変える必要がなく、ユーザは毎度順序を再度プログラムし直す必要なくディスクをプレイさせる度にトラックを好みの順序で聴くことができる。
【０００６】
上述した所ではプログラミング機能をコンパクト−ディスク・デジタル・オーディオについて説明したが、このような機能はプレーヤが種々の記録部分からアイテムをランダムにアクセスし得るオーディオ及びビデオ記録媒体を含む任意の記録媒体のユーザ用に用立てることができること明らかである。これは特に、時間コード又は他のアドレス情報を信号データと一緒に自動的に記録するデジタル記録方式の場合である。
【０００７】
ところが、現在のコンパクト−ディスク・デジタル・オーディオ（CD−DA)システムはユーザ用にユーザ固有のプログラム資料を光ディスクに記録するようにはなっておらず、他のシステムでもプレイ装置に記録兼再生手段を設けている。最も良く知られているものは、オーディオ及びビデオ信号をアナログ的に記録する磁気テープカセットレコーダであるが、デジタルオーディオテープ（DAT)や、ビデオ信号をデジタル的に記録し、しかも消去することができるコンパクトディスクも新規に市販されている。
【０００８】
【発明が解決しようとする課題】
本発明の目的は、特に消費者用のオーディオ及びビデオ再生機器の分野における情報媒体に記録した情報の再生を制御するのにユーザの自由度をさらに向上させることにある。
【０００９】
【課題を解決するための手段】
本発明は、プレマスタード領域及び再書込可能領域を具え、前記プレマスタード領域の一部が、前記再書込可能領域のリード−イン領域の位置に関するポインタ情報を記録する領域を具えるようにしたことを特徴とする記録媒体にある。
【００１０】
ユーザは、記録媒体に記憶済みの情報アイテムをユーザ好みの順序に従って自動的に再生することができる。これは特にユーザが自宅で行なう記録の場合に有利である。その理由は、この場合には複数のアイテムを種々の記録ソースから或る期間にわたり個々に記憶させておくことができ、アイテムによっては消去しておき、後日に新規のものを記録させることができるからである。従ってユーザが自宅で記録した記録媒体におけるアイテムは第１時系列内でほぼランダムに終わらせることができ、このためにアイテム間のギャップが大きくなることもある。本発明によれば、アイテムを記録する順序が記録ソースの使用性によって規定されたり、又は媒体におけるスペースを有効に使用するためにその順序が選定されるとしても、論理的に、しかも満足のゆく順序が得られるように再生順序を全く自由に選定することができる。
【００１１】
市販の予じめ記録済みのキャリヤには生産者が、その記録したアイテムの順序を選択するのに何等かの注意をするのが普通である。しかし、ユーザにとっては、ユーザ固有の順序でプログラムしたいことがある。少なくとも部分的に書込むことのできる記録媒体に予め記録した資料があったとしても、本発明によれば従来装置におけるFTSと同じ効果を有するも、従来方式よりも遥かに有利な機能を発揮する。本発明によれば、家庭内の別の所にあったり、又は友達の家にある異なる(しかし、コンパチブルである)装置によって好みの順序を規定する情報を書き込んだとしても、記録媒体からその好みの順序を規定する情報を読取ることができる。これにより従来のFTS方式のように、ユーザ好みの選択順序が、それをプログラムしたプレーヤ内だけに記憶されるものよりも遥かに改良されたことになる。
【００１２】
なお、記録媒体に記録した情報が、その記録媒体に記録した標準の文章の如きアイテムに対する好みの再生時系列を規定する書き取り器を設けることについては英国特許第1,337,163号に既に提案されている。しかし、これに提案されている書き取り器では、単一の連続時系列内のばらばらの位置と云うよりもむしろ、各アイテムを記録媒体における別個の固定長さのトラックに記録するものである。
【００１３】
本発明による記録媒体を使用する再生装置では、前記プレマスタード領域が前記再書込可能な目次の位置を規定するポインタ情報を含み、前記再生装置が前記ポインタ情報を読取る手段と、該ポインタ情報に基いて前記再書込可能な目次を探索する手段とを具えるようにする。この再生装置は記録媒体を装填した際に記録媒体のリード−イン部分を自動的に読取るように構成することができ、従って記録済みのアイテムそのもの間での探索をする必要なく好みの順序を規定する情報を常に見つけることができる。又、好みの順序は記録済みのアイテムを妨げることなく変えることができる。
【００１４】
斯種の再生装置では、前記読取手段が、前記再書込可能な目次からユーザ好みの再生時系列を規定する情報を読み取るべく構成され、且つ前記再生手段が、記録済みの前記アイテムを前記時系列に従って再生すべく構成されるようにするのが好適である。従って、好みの順序の各アイテムの位置（もしあれば）を、記録媒体上のそのアイテムの位置を装置に突き止めさせることができる情報と一緒に読取ることができる。
【００１５】
或は又、前記読取手段が、前記アイテムが記録される位置とは別の位置に相当する前記再書込可能領域のリード−イン部分から前記好みの時系列を規定する情報を読取るべく構成されるようにするのが好適である。斯る構成は好みの順序を記録媒体上の目次を再書込する必要なしに変えることができる。目次の再書込は例えば多数のアイテムがある場合にはかなり長い時間を必要とすると共に誤りをまねくことになる。
【００１６】
斯る再生装置においては、前記読取手段を、前記読取手段が、前記プレマスタード領域内に含まれる目次に対して第１の予め決められた短い距離によって規定される位置の所から前記好みの時系列を規定する情報を読取るべく構成されるようにするのが良い。リードイン部分の位置を各記録媒体ごとに決定する必要のある実施例においては、これにより目次と好みの順序情報の双方を単一の標準位置の所から位置させることが可能になる。再生装置には、前記目次の開始位置に対して前記第１の短い距離とは異なる第２の予め決められた短い距離によって規定される記録媒体のリード−イン部分内の所から読取られる文字情報を表示する表示手段を設けるのが好適である。
【００１７】
さらに他の好適例では、好みの順序を規定する時系列がトラック番号のリストを含み、記録済みのアイテムを再生する手段が、アイテムの連続時系列内の位置を好みの時系列に定めるために、前記目次と一緒に前記リストを用いるべく構成することにより、好みの順序をコンパクトに表わすことができるため、この順序をかなり高速に入力し、書込、消去することができる。
【００１８】
本発明による記録媒体を使用する再生装置では、記録済みのアイテムを再生する前記再生手段が、記録媒体に記録するオーディオ及び／又はビデオ信号のデータチャネルに記録した情報を読取る読取手段を具え、且つ前記好みの時系列を規定する情報を読取る読取手段が、データチャネルに平行して記録したサブコードチャネルに記録した情報を読取る読取手段を具えるようにする。例えば、コンパクトディスクシステム及びデジタルオーディオテープシステムにおいてはデジタル“サブコード"情報が制御機能用オーディオデータと並列に記録されていると共に、コンパクトディスクのリード−イン部分において慣例の予め記録されたプレマスタード記録の目次を記録するのにも使われている。ビデオ記録においても、デジタル制御情報を主情報チャネルと並列に記録することができる。ビデオチャネル内のサブコードの公知例はテレテキストである。
【００１９】
このような再生装置は消去可能ディスクから情報のアイテムを再生するのに好適とすることができる。斯るディスクはDATと比べて極めて速いアクセス時間を有するCD−DAコンパチブル記録再生を提供し得る。
【００２０】
CD−DAコンパチブル装置では、好みの順序を規定する情報をサブコードのＱ−チャネルから読取るようにすることができる。このようにすると、既存の装置はＱチャネルデータを抽出するため、最低の適応処理で既存の装置をもって本発明に使用する装置の一部分を構成し得る利点が得られる。
【００２１】
本発明による記録媒体を使用する記録装置においては、前記プレマスタード領域内に位置するポインタ情報によって規定される位置に前記再書込可能な目次を記録する手段を設けるのが好適である。このように書込まれた目次は上述した再生装置により読取り、使用することができる。
【００２２】
斯る記録装置においては、記録媒体に記録される情報のアイテムを再生する好みの時系列を規定する情報をユーザが入力することのできる入力手段と、好みの再生時系列を規定する情報を前記再書込可能な目次に書込む手段とを設けるのが好適である。このようにすると、価値のある記録をそれだけで識別し保護することができる。好適例では、前記書込手段が、不慮の消去に対して記録済みのアイテムを保護し得るようにする情報を前記ユーザ目次に含めるべく構成する。
【００２３】
斯かる記録装置には、前記目次を用いて、記録すべき新規のアイテムを自由に受入れさせる記録媒体の領域を識別すると共に位置決めする手段を設ける。斯る構成はあき領域への高速アクセスを可能にすると共に情報をその長さに亘って与えることを可能にする。これにより記録媒体の領域の有効な使用及び再使用が可能になる。
【００２４】
本発明による記録媒体はプレマスタード領域と再書込可能領域とを具えている。プレマスタード領域は、記録媒体の製造時に、例えば通常のCDの製造技法と同じ方法で、即ちエンボスピットの形成により記録媒体の製造者によって形成される領域のことである。このプレマスタード領域は、エンボスピットによって表わされ、製造中に記録媒体に記録される情報を包含する。再書込可能領域は、記録媒体の製造後に、例えばユーザが情報を記録するのに適している記録媒体上の領域のことである。しかしながら、記録媒体の製造中に、例えばプレグルーブ構体を設けることによって記録媒体をプレフォーマットすることにより、情報を記録するために斯かる再書込可能領域を用立てることができるのである。プレマスタード領域は本来、読取専用（RO）領域であり、これに対して、再書込可能領域は読取／書込（RW）タイプの領域である。
【００２５】
【発明の実施の形態】
以下、図面を参照して本発明の実施例を説明するに、図１は本発明による記録媒体を使用する再生装置のブロック図である。ここでは、デジタルオーディオ記録の例についてのみ説明し、特に消去可能光ディスク上への記録についてのみ説明する。光ディスクへの記録はテープの記録より種々の記録部分へのランダムアクセスが速い利点を有する。また、消去可能光ディスクは周知のコンパクトディスクシステムと同一のフォーマット及び符号化技術を用いることができ、市販の記録済みディスクとコンパチビリティを得ることができる。しかし、情報内容に関する限りディジタルオーディオテープにおけるデータのフォーマットは極めて類似している。
【００２６】
図１に示す装置は、マイクロコンピュータ14の制御の下で記録 (書込) モードか再生 (読取) モードの何れかで動作し得る。記録モードにおいては入力端子15が外部信号源からアナログオーディオ信号 (通常ステレオホニック) を受信し、これら信号をアナログ−デジタル変換器 (ADC)16に供給する。ADC16 のデジタル出力はエンコーダ18に供給される。マイクロコンピュータ14はエンコーダ18に、記録媒体22上にオーディオデータと一緒に記録すべき追加の「サブコード」情報を供給する。
【００２７】
エンコーダ18はオーディオデータを伸張し、インターリーブし、且つスクランブルして誤り検出兼補正能力を与える。エンコーダ18の出力は、ディスクのらせんトラックにマークのパターンを発生させるのに必要とされる８−14変調 (EFM)を実行する変調器20に供給される。コンパクトディスクデジタルオーディオ(CD-DA) システムにおけるエンコーダ18及び変調器20の動作は周知である。
【００２８】
変調器20により発生された情報流は読取／書込装置21に供給され、この読取／書込装置が記録媒体22の一部分を変更してオーディオ及びサブコードデータを記録する。読取／書込装置21は実際には読取用と書込用の２つの別個の装置と見なすことができるが、両機能を実際上、磁気記録及び光記録の双方で、ほぼ同じ装置で実行させることができる。
【００２９】
記録媒体22を消去可能光ディスクとする場合には、記録を例えば磁気−光学記録法によるか、フェーズ変化法により行なうことができる。磁気−光学記録の場合には読取／書込装置21はトラッキング及びフォーカシングシステムと組み合わせるパルスレーザ及び電磁石とすることができる。
【００３０】
マイクロコンピュータ14は読取／書込装置21と記録媒体22の相対位置を一群のアクチュエータ24により制御する。光ディスク記録の場合には、この制御は、例えばディスクの回転速度や、読取／書込装置21の半径方向位置 (トラッキング) 及びフォーカシングを制御するための多数のサーボ機構で実行される。
【００３１】
再生（読取）モードにおいては、読取／書込装置21が読取ヘッドとして作用して記録媒体22からデータを読取る。読取られたデータは復調器26に供給され、次いでデコーダ28及びデジタル−アナログ変換器（DAC)30に供給され、出力端子32にアナログオーディオ信号として再生される。従って、ブロック26〜30はブロック16〜20の機能とは反対の機能を実行する。デコーダ28は誤り補正及びコンシールメント機能を実行して、ディスクのほこりやかき傷や製造欠陥により生じた“ドロップアウト"が出力信号に可聴信号として現われないようにする。
【００３２】
デコーダ28は更にオーディオデータからサブコード情報を分離し、これをマイクロコンピュータ14に供給する。従って、マイクロコンピュータ１４は読取／書込装置21の記録トラックに沿った位置を検出することができる。コンパクト−ディスク・デジタル・オーディオシステムにおけるサブコードは、らせんトラックの始端からの経過時間情報を分、秒及びフレーム (75フレーム／秒) 単位で伝える。サブコードは現トラック番号やインデックス、及び記録に関する他の情報も伝える。
【００３３】
装置がディスク上のどこに求める所定のアイテム（例えば、所望する音楽の曲目）があるかを前もって決定し得るようにするために、サブコードは、記録の導入（リード−イン）部分中にて全記録トラック及びらせんトラックに沿ったそれらの位置（分、秒、フレーム）をリストアップした目次 (TOC)を記憶させるのにも用いられる。ディスクを装置に装填すると、TOC が読取られ、ランダムアクセスメモリ(RAM)33 に記憶される。CD−DAシステムのサブコードフォーマット及び目次については「Electroniｃs and Wireless World Magazine 」、1986年９月、第26〜30頁のジェイ・アール・ウイルキンソンの論文「Subcodes Explained」に詳細に記載されている。以下に説明する本発明の実施例はこの論文に記載されている CD−DAサブコードフォーマットを変更したものである。
【００３４】
再生中のトラック及び経過時間等についての情報はマイクロコンピュータ14の制御の下でユーザのために表示装置34上に表示される。情報はキーボードのような入力装置36によりユーザが入力することができる。入力する情報は、ユーザが聴きたい曲のトラック番号のようなものとすることができ、マイクロコンピュータ14は、この情報と RAM33 に記憶してある目次 (TOC)とを用いて記録媒体上のこのトラックの時間座標の位置を突き止めて、所望の出力を発生させることができる。或いは又、ユーザが時間座標を直接入力することもできる。
【００３５】
一連のトラック番号（又は時間座標）を入力し、且つRAM に記憶し得るようにして、ユーザが順次再生すべきトラックの全順序をプログラムすることができる。このために装置に「好みのトラック選択(FTS) 」機能を設けて、ユーザが、斯るトラック順序の入力時に、この順序をこの記録媒体に対する FTS順序として記憶すべきことを指示することができるようにする。マイクロコンピュータ14を不揮発性メモリ(NVRAM)38 に接続し、このメモリに書込可能ディスクとともにユーザコレクションに含まれる再生専用記録媒体（例えば慣例のコンパクトディスク）に対する識別コード及び FTS順序を記憶させる。このような、再生専用記録媒体に関するユーザによる FTS機能の動作については前記欧州特許出願第0169597 号に記載されている。
【００３６】
本発明による、書込可能ディスクでのFTS 機能の動作はユーザの観点からは同一視することができるも、いくつかの利点を得ることができる。しかし、装置内では再生専用記録媒体と書込可能記録媒体とに対する FTSの動作間には２つの大きな相違がある。第１の相違点は、どのFTS 順序がどの記録媒体のものであるのかを識別するためにIDコードを発生させる必要がない点にあり、即ちFTS 順序を媒体そのものに記録する点にある。第２の相違点は、FTS 順序を NVRAMに記憶させるために既知のFTS プレーヤにおいて行なわれる種々の動作をFTS 順序を記録媒体そのものに書込む一連の動作と置換する点にある。これらの動作を可能にする実施例を数値例について図２〜図５を参照して以下に説明する。
【００３７】
図２は本発明による記録媒体上のデータの編成の第１実施例を示すものである。この特定の実施例の記録媒体は消去可能光ディスクとする。
【００３８】
情報はトラック50に沿って記録され、このトラックは光ディスクの場合にはディスクの記録層にマークの連続らせんトラックとして形成される。トラックの全長は図に示すように左から右へ走行する第１の時系列に対応する。この実施例が基づく CD − DA システムにおていては、トラックの始端はらせんの中央にあり、トラックの終端はらせんの外端にある。記録媒体がテープの場合には、トラック50の長さはテープの長さに相当する。
【００３９】
書込可能で、しかも消去可能なコンパクトディスクの例では、或る量の情報を空 (ブランク) のディスクの製造中にらせんグルーブ（条溝）構体に持たせるようにする。この情報はトラックの全長に亘る時間−コード信号を含み、ユーザにより記録された情報の位置を適切に突き止め、且つ同期をとれるようにする。データチャネルフォーマットを妨害することなく、時間−コード信号を与える１つの方法は、プレグルーブ構体に、時間−コード情報で周波数変調される“ウオブル"を設けるやり方である。このような方法はヨーロッパ特許出願公開明細書0265984 号に記載されている。本発明の種々の実施例を説明するに当り、絶対時間座標はトラックのあらゆる点において、即ち未記録部分においても利用できるようにするということを認識すれば十分である。CD−DA標準に従って、ディスク上の時間を分、秒、及び毎秒当り 75 フレームに分割するフレームで表わす。
【００４０】
プレグルーブ以外に、らせんトラック50にはプレマスタードリード−イン区域（以下、区域を領域とも称する）52及びプレマスタードリード−アウト領域54を設ける。これらの領域は通常の CD 製造技術と同様の技法で製造され、通常のCDプレーヤで読取ることができる。プレマスタードリード−イン領域52は例えばディスクの型式に関する情報を含むが、プレマスタードの目次TOC をも含む。
【００４１】
図４及び図５につき後に説明する所から明らかなように、プレマスタード領域は通常の CD−DAフォーマットで予め記録したアイテムを含むことができるが、本例における目次 TOCは、書込可能及び消去可能のユーザの目次 UTOC を含む非プレマスタードのリード−イン領域56の位置に対するポインタを含むだけとする。リード−イン領域56には、再生すべき情報のアイテム（例えば音楽の曲目）を含む主データ領域58が後続する。
【００４２】
図示の媒体には 01 〜08の番号を付した８つのアイテムがらせんトラック50に沿って記録されている。各トラック 01 〜08は第１表に分、秒及びフレームで示す開始時間及び停止時間を有する。従ってトラック 01 はらせんトラック50の開始時から２分、２秒と０フレームで開始し、６分、１秒と47フレームで終了し、他のトラックもこの表に示したような時間に開始し、また終了する。第２図に示した領域は正確に拡大したものではなく、しかも、本例で用いた数値は単なる一例である。
【００４３】
0003679012.tif 000002
【００４４】
表１は、本発明の第１実施例に従ってユーザの目次 UTOC 内に記憶するのが望ましい他の情報を示す。第４列めの WP は各トラックが書込禁止にされているか否かを示す。本例では、トラック 01 、02、03、07及び 08 は読取専用(RO)とし、即ち、不慮の消去に対し保護する。トラック 04 、05及び 06 は読取／書込  (RW)が可能であり、従って、任意に消去及び上書きを行うことができる。
【００４５】
第５列の見出し SEQはトラック 01 〜08に対するユーザの好みの順序を示す。トラック05に対する列 SEQは値１を有し、従って、トラック05が順序において第１番目であり、トラック 06 が第２番目であり、以下同様である。従って、好みの順序は 05-06-07-08-02-03であり、トラック01及び04は共にスキップされる。
【００４６】
表１に含まれる情報は、ディスクの非プレマスタードリード−イン領域56におけるユーザの目次UTOC内に記憶させることができる。ユーザの目次 UTOC は、前記文献“Subcodes  Explained"にウイルキイソンが記載しているような、CD−DA標準で規定されている目次 TOCの変形である。
【００４７】
CD−DAフォーマットでは、サブコード信号がフレーム(1/75 秒) 毎に８つの98−ビットワード(P-W) を搬送する。本例では、Ｑ−ワードのみに関連させ、かつ、更に、Ｑ−ワードによってフレーム毎に有効情報の９バイトを搬送し得るようにする。
【００４８】
図３は図２及び第１表につき説明したらせんトラック50の目次 TOC領域及びユーザの目次  UTOC領域におけるサブコードを構成するＱ−ワードの９個のバイトQ1〜Q9の使用例を示す。図３における各行は１つのＱ−ワードの９個のバイトQ1〜Q9を示す。ディスクでは各ワードは、信頼し得る情報を得るために、順次に多数回繰返す。その理由はサブコードには誤り補正の能力がないからである。この繰返しは通常の CD−DA標準では３回行うが、誤りが発生しやすい消去可能のシステムでは10回以上繰り返すようにする。
【００４９】
プレマスタードリード−イン領域52及び非プレマスタードリード−イン領域56の全体を通じて、第１のバイトQ1は前記ウイルキンソンの文献に記載されているように値00(hex、16進) を有する。主データ領域58では、バイトQ1が現行トラック番号を２進化10進法(BCD) フォーマットで搬送する。従って、或る所定のディスクのトラック数は９９トラックまでとすることができる。
【００５０】
第２バイトQ2によって、バイトの意味を以下に示すように規定する。プレマスタード目次 TOC領域においては、図３に示した第１のワードの第２バイトQ2はQ2=A3 である。このことは、このワードのバイトQ7, Q8及び Q9 が、再び２進化10進法のBCDフォーマットでユーザの目次 UTOC の開始時における、それぞれ分、秒及びフレームで示す時間座標を含むことを規定する。従って本例では、ユーザの目次 UTOCは、絶対時間座標と称するプレマスタードリード−イン領域52の終端の開始後における１分０秒と、35フレーム (1′00″35)の時間で開始する。
【００５１】
常時、らせんトラック50の開始時にある目次  TOC に示すＱ−ワードを読取る際に、本発明による再生装置はディスクのユーザの目次領域 UTOCの位置を突き止めて、ユーザの目次 UTOC の内容を読取り、これによりユーザが記録したアイテムを識別し、その位置を突き止めることができる。図３におけるユーザの目次 UTOC に示す最初の３つのワードは DC-DA標準の目次 TOCの最後の３ワードに類似している。Q2=BOhexの場合には、Q7によってディスクの第１トラック（例えば、01) を規定する。Q2=Blhexの場合には Q7 によって最後のトラック(0８)を規定する。Q2=B2hexの場合には、バイトQ7, Q8及び Q9 によってリード−アウト領域54の開始時点の絶対時間座標を与える。
【００５２】
図示のユーザの目次 UTOC の次の８ワードでは、Q2によってディスクに順次記録された各トラックの番号 01〜08の値を取る。このような各行のバイトQ7, Q8及び Q9 は第１表と比較すると明らかなように、対応するトラックの開始時間を規定する。CD-DA システムでは、このような各エントリに関連するバイトQ3〜Q5を用いて、リード−イン領域全体に亘る実行時間座標を搬送する。前述したようにプレグルーブには時間コードを符号化してあるため、ユーザの目次UTOCに入力した各トラックの停止時間をバイトQ３, Q４及び Q５ を用いて規定することができる。このために、再生装置内のマイクロコンピュータのソフトウエアによってディスクの空の領域の位置を計算し、スペースが存在する場合には新たなデータを記録することができる。各トラックの停止時間の代わりに各トラックの持続時間を記憶させて同一の機能をさせることもできる。また他の技術によって空の領域の開始時に新たなトラックを規定し、これを自由領域として何らかの方法で識別することもできる。また、再生装置のソフトウエアによって空のトラックを将来の記録の自由領域として識別することもできる。
【００５３】
バイトQ6についてはこれまで説明しなかったが、CD-DA 標準ではこれをOOhex として規定し、これを他の目的に対しては使用しないものとしている。本例ではバイトQ6をユーザの目次 UTOC 内に用いて書込禁止及び好みの順序の特徴についての情報を伝えるようにする。第１表の例に続き、ユーザの目次 UTOC の各エントリのバイトQ6の最上位のビットを用いて関連するトラック（バイトQ2で規定した） が読取専用(Q6=0)であるか、または読取／書込可能トラック（Q6=1） であるかを決め得るようにする。読取専用トラックを表わすQ6＝０を選定することによって、ＣＤ-ＤＡ標準で規定されるように、Q6＝０の慣例のCD−DAディスクとのコンパチビリティを与えるようにする。バイトQ6の残りの７ビットはユーザの好みの順序をエンコードするためのものである。ユーザの目次 UTOC に99トラックまでの情報を入れることができるため、99位置までを好みの順序に割当てる必要がある。これは２進化10進法の代わりに自然２進数を用いる７ビットで可能である。完全にスキップさせる必要があるトラックは下位７ビットの各々が“１"を有するようにすることによってマークする。図３に示すように、ユーザの目次 UTOC における各エントリに対するバイトQ6の値を更に判りやすくするために第１表の列 WP 及びSEQ と比較する。例えば、バイトQ2=O3hexの際のバイトQ6の値は00000110(06hex)の２進数であり、これは、トラック 03 が読取専用であり、好みの順序の第６番目であることを意味するとして、ディスクを読取る再生装置によって解釈される。同様に、トラック０4(Q6＝２進値11111111＝FFhex)は読取／書込トラックであり、このトラックは好みの順序には全く含まれない。
【００５４】
好みの順序を決め、これをディスクの１部分に書込むために、ユーザは図１に示す装置と同様の装置の入力装置36を経てトラック番号の好みのリストを入力する。ユーザの目次領域 UTOC のレプリカを常に RAM33に記憶し、且つこれをマイクロコンピュータ14により変更して好みの順序を決めるようにする。好みの順序を決める情報を書込むために、再生装置は特定のバイトQ6を含むユーザの目次領域 UTOCをディスクに単に再書込みし、既存のユーザの目次領域 UTOC に重ね書きする。
【００５５】
ユーザの好みの順序のみが変更されている場合でも、好みの順序を変更するにはユーザの目次領域UTOC全てを再書込みする必要のあることがこの第１実施例の特徴である。ユーザの目次領域 UTOC におけるエントリ（入力）の数を９９とし得ると共に各エントリを10回繰返して信頼し得る検索を行えるようにする場合には、毎秒 75個の Q-ワードを書込み得るも、最悪の場合はユーザの目次UTOCを再書込みするのに15秒を要する。
【００５６】
らせんトラック50に沿って記録された順序ではなく、好みの順序に従って記録アイテムを再生するためには、再生装置がまず記録媒体からユーザの目次領域 UTOC を読取る必要がある。これは通常媒体を装填すると直ちに行われ、ユーザの目次領域 UTOC の内容が RAMに記憶されるため、ディスクのリード−イン領域をさらに参照することなく、読取ヘッドを所望のディスク部分に向けることができる。ディスクにおけるユーザの目次領域 UTOCから読取られる好みの順序に従って記録済みのアイテムを再生するためには、ユーザの目次領域 UTOC のエントリを探索し、好みの順序の第１アイテムを識別するエントリを見いだすまで毎回バイトQ6を検査する。次いで、バイトQ7, Q8及びQ9における記憶済みの時間座標を用いてそのアイテムの位置を突き止め、それを再生することができ、その後第２、第３、第４アイテム等に対しユーザの目次領域 UTOC を順次探索することができる。
【００５７】
図４は本発明の第２実施例による記録媒体のデータの編成を示す。図示のらせんトラック60は第１実施例におけるらせんトラック50と物理的に同様のものであるが、情報内容の編成の点において２つの相違点がある。この第２実施例はプレマスタード記録と書込可能／消去可能記録との双方を同一のディスクにて行うようにする。らせんトラック60のプレマスタード領域はプレマスタードの目次 TOCを含むリード−イン領域62とプログラマブル資料の３つのトラック、即ち、トラック01、02及び03を含むプレマスタードの主データ領域64とを含む。
【００５８】
らせんトラック60の書込可能／消去可能な部分は、図５につき詳細に説明するように、リード−イン領域６６がユーザの目次 UTOC のほかに領域 DPFTS (プログラマブルディスクの好みのトラック選択領域)を含む点以外は、第１実施例のらせんトラック50の場合と同様に、リード−イン領域66及び主データ領域68を具えている。書込可能／消去可能部分の主データ領域68は５つの記録されるトラック0４〜0８を有し、プレマスタードトラック 01 〜03の番号に続くようにしている。２つのプレマスタード及び書込可能部分は小さな“ノーゴー"（ＮＯ-ＧＯ）領域70によって分離して、或る種類のトラック(例えば型押式) から他の種類 (例えば磁気−光学または位相変化式）のものへの予期しない遷移で生じたりすることのある再生装置の機構の混乱を防止し得るようにする。
【００５９】
第２実施例における、トラック01〜08の時間座標及びその他の属性の例を第２表に示す。第２表中の列は第１表に示したものと同様であり、双方の場合において時間座標のみが第１実施例のものとは相違する。ユーザにより決められた好みの順序は、列SEQ に示すと共に、順序の終わりにおいてトラック07及び08を繰返して、本発明の第２実施例により同一のアイテムを好みの順序に１回以上書込むようにする手段を示す点以外は第１実施例のものと同様である。従って、らせんトラック60のトラック01〜08に対する全ての好みの順序は05-06-07-08-02-03-07-08 となる。書込禁止 (列WP) は第１実施例の場合のトラック01〜08に対すると同様とするが、トラック01〜03は必ず読取専用(RO)とすべきである。その理由は、これらのトラックはらせんトラック60のプレマスタード部分に記録されるからである。
【００６０】
0003679012.tif 000003
【００６１】
図５は表２の数値を一例として用いた、らせんトラック60における領域TOC, DPFTS及びUTOCのフォーマットを示す。コンパクトディスクのサブコードの Qワードを第１実施例におけるように用い、この場合にも参照符号Q1〜Q9をこのワードのバイトに対して用いる。領域 TOCはバイトQ2が値01, 02及び03をそれぞれ取る際のプレマスタードトラック01, 02及び03の開始及び停止時間を規定する。第４図及び５図の実施例では、バイトQ6が好みの順序情報を伝えるのではなくて、このバイトは書込禁止情報を伝える。バイトQ6は読取専用(RO)トラックに対して値00hex を取り、読取／書込(RW)トラックに対し値80hex を取る。
【００６２】
バイトQ2が領域 TOCにおいて値A0 hex及びA1  hex を取るように示した Qワードは第１及び最終トラックをそれぞれ01及び03として規定し、Q2＝A2hex である Qワードはリード−アウト領域を指示し、Q2＝A3hex である Qワードはユーザの目次領域UTOCの開始、本例の場合17′20″ 35を指示する。
【００６３】
領域UTOCは残りの非プレマスタードトラック04〜08を識別して位置を突き止め、トラック04及び08をらせんトラック60の書込可能／消去可能部分に第１及び最終トラックとして規定する。なお、消去可能なコンパクトディスクのプレマスタード及び書込可能部分は２枚以上のCD-DA ディスクの列を占める記録の編制と同様に編制される。
【００６４】
領域UTOCは領域 DPFTSの時間軸も包含する。図示の例ではこの時間軸は16′30″ 05 であり、これはバイト Q２における値Ｂ３によってマークされる QワードのバイトQ7，Q8，Q9に書込まれる。値B3は他の機能に割当てられていないこれらの16進値 (hex)から任意に選択したが、任意の異なる値或いは異なる数値の群を用いることもできる。領域 DPFTSはらせんトラック60上で領域UTOCの前に配置する。その理由は領域UTOCの長さは通常領域 DPFTSよりも多く変化するからである。しかしこれらの領域 DPFTS及びUTOCはディスク上のどこにでも等しく記録することができる。その理由は、Q2＝A3及びQ2＝B3によってマークされた領域TOC中のエントリによりどの部分に記録するかを指定し得るからである。
【００６５】
領域 DPFTSでは、８つのトラックの好みの順序を規定するのに２つの Qワードを必要とする（信頼のある再生を行なうには各ワードを10回繰返す) 。 DPFTSの第１ワードはバイトQ2における値DOによってマークされる。この値も利用し得る16進コードから任意に選択する。コードD1，D2，D3等はより一層長い順序を記録するのに必要とするDPFTSの連続性を識別するのに用いることができる。
【００６６】
領域 DPFTSにおける第１ワードのバイトQ3には後に説明するユーザ番号、図示の例では01に対するスペースがある。これに続くバイトは順次好みの順序でアイテムのトラック番号をリストアップする。このリストはその開始時に値AA hexを有するバイトによりマークされ、その終了時に値FFhex を有するバイトによりマークされる。好みの順序は第２表に規定した順序、すなわち05-06-07-08-02-03-07-08に正確に対応して規定される。好みの順序を規定するリストの連続性に対してコードDO〜DFのすべてを用いる場合、好みの順序には100 よりも多いトラックを含めることができ、且つ所定のトラックを１回以上含めることができる。
【００６７】
ユーザ番号、本例の場合01を用いて、ユーザの好みの順序がこの番号に続くリストにより規定されているこのユーザを識別することができ、好みの順序は多数のユーザの各々に対し規定し得る。これは、好みの順序は各ユーザにとって個人的なものであり種々のユーザが異なるトラック順序を好むという事実に基づくものである。第５図には１種類のみの好みの順序を規定しているが、ユーザ番号02, 03等を用いて他の順序を領域 DPFTSに書込むことができる。これと同じ機能は、各ユーザに対し別個の領域 DPFTSを設けることによっても達成し得る。この場合、各領域 DPFTSは領域UTOCにおける異なるエントリによって識別し且つ位置を突き止めることができ、例えばバイトQ2に対し値B4, B5, B6等を用いて各ユーザに対する領域 DPFTSを順番に識別することができる。
【００６８】
らせんトラック60上の領域 DPFTSに書込むためには、ユーザは（図１に示すような）記録装置の制御部を操作して、好みの順序を規定する。この順序はトラック番号のリストとして RAMに記録することができる。こうした作業を完了したら、ユーザは自分のユーザ番号を特定でき、前述したようにらせんトラック60上の領域 DPFTSに書込むべく装置に命令することができる。
【００６９】
記録された情報を再生するためには、装置は領域TOC 及びUTOCを読取り、これらの内容を通常のCDプレーヤにおけるように RAMに記憶させる。領域 DPFTSも読取って RAMに記憶させることができ、或いは領域 DPFTSを必要な時にのみ読出すことができる。ディスク上に記録された好みの順序に従ってトラックを再生するためには、（１人よりも多いユーザがディスク上に好みの順序をプログラミングしてある場合）ユーザは自分のユーザ番号を特定する必要があり、装置内のマイクロコンピュータによってこのユーザ番号に対する領域 DPFTSを探索し、このユーザの好みの順序を規定しているトラック番号のリストを検索することができる。（通常 RAM内に複製されている）領域UTOCを用いることにより好みの順序の各トラックの時間軸を見い出すことができ、読取装置はディスクの適切な部分を指示して各トラックを順番に再生する。
【００７０】
上述した第２実施例は種々の理由で第１実施例よりも有利である。まず第１に好みの順序を変える度に領域UTOCの全体を書き直す必要がない。第２に、複数のユーザの各々によって異なる好みの順序を規定でき、これを他のユーザの好みの順序とは無関係にディスク上に書込むことができる。他の利点は、或る所定の記録されたアイテムを好みの順序で１回よりも多く再生することができるということにある。
【００７１】
第２実施例の利点は幾つかのアイテムをディスクの再生専用のプレマスタード部分に設けることができると言う点にもある。第２実施例によって書込まれる好みの順序には所要に応じプレマスタードのアイテムを含めたり排除したりすることができるのに対し、第１実施例ではプレマスタードのトラックが領域 TOC並びに領域UTOCにおいて識別されない限り、好みの順序にプレマスタードのアイテムを含めたり排除したりすることはできない。第２実施例によれば、領域 DPFTSに記録するのに充分な大きさの書込可能／消去可能部分が用立てられている限り、完全なるプレマスタードディスクにディスクプログラマブルFTS を設けることができる。このようなディスクではプレマスタードの目次領域 TOCに、領域 DPFTSに対するポインタを含めることができ、或いは上述した実施例とのコンパティビリティを確保するために最小のユーザ目次領域UTOCを設けることができる。
【００７２】
図６及び図７は、第２実施例を示す図４及び図５と同様に本発明の第３実施例を示しており、第２実施例で用いたのと同じ参照符号の幾つかを以下の第３実施例を説明する上で用いている。この第３実施例は直前の２つの節で述べた利点を有する以外に他の利点をも有する。
【００７３】
図６は、非プレマスタードリード−イン領域76が、時間コード値t が増大する順に、ユーザ目次UTOC、ラベル領域LAB 、好みのトラック選択領域 DPFTS、出力校正領域PCA 及び予約領域 RSVを含むことを示している。領域LAB 及び DPFTSを用いるのは任意であるが、プレマスタード目次領域 TOCにおいてQ2＝A3を有する QワードのバイトQ7、Q8及びQ9によって規定されるUTOCの第１位置(A3)に対して固定される時間コード位置 (A3′) 及び (A3″) でこれら領域LAB 及び DPFTSに対する永久的なスペースを設けるようにする。これにより、このような領域の各々に対する別々のポインタを記憶する必要性を無くし、且つこのような領域を必要とする際にこれら領域に対するスペースを動的に割当てる必要性を無くすようにする。
【００７４】
図７は第３実施例における領域 TOC，UTOC，LAB 及び DPFTSにおける Qワードのフォーマットを示す。非プレマスタードリード−イン領域76全体に亘りバイトQ1は、この非プレマスタードリード−イン領域をプレマスタードリード−イン領域62並びにプログラムデータ領域と識別するために値 OA(hex)を有するようにする。領域UTOCは４つの“ Bポインタ"で位置（A3) （本例では17′20″35に等しい) にて開始する。これらのポインタは値B0, B1, B2及びB3を順次にとるバイトQ2によって識別される Qワードである。第２実施例におけるのと同様にB0及びB1ポインタのバイトQ7は非プレマスタードプログラム領域78に記録される最低及び最高のトラック番号 (04及び08) をそれぞれ有する。しかし、B0ポインタのバイトQ8及びQ9も領域LAB 及び DPFTSにつきそれぞれ後に説明するように用いられる。
【００７５】
B2ポインタのバイトQ7, Q8及びQ9は最終リード−アウト領域ではない最外側（最大のｔ）の記録トラック（本例の場合トラック07) の停止位置を含む。B3ポインタのバイトQ7, Q8及びQ9はごく最近記録したトラック（本例の場合トラック08) の停止位置を含む。この情報はマイクロプロセッサ14によって用いて、新たなトラックを記録するのに適した空のスペースを識別することができる。
【００７６】
領域UTOCは４つの Bポインタ及び99個のトラックポインタ (Q2＝01, 02,---,99)に対する充分なスペースを含む。安全のために各ポインタを10回記録するため、領域UTOCはリード−イン領域76における Qサブコードの10×(4＋99) ＝ 1030個のフレーム (13″55) を占有する。領域 LABは時間コード位置 (A3′) ＝（A3＋13″55) で直ちに追従し、且つQ2＝CO及びQ2＝C1によって規定される２つの“ Cポインタ"に対するスペースを含み、これは20個のサブコードフレームを必要とする。B0ポインタ (Q2＝B0) のバイトQ8は使用する Cポインタの番号を含んでおり、それは値00或いは02のみをとり得る。本例では、バイトQ8は値02を有し、Q2＝C0及びQ2＝C1である Qワードを用いて14個までのASCII 文字コード（これら２つの QワードのバイトQ3〜Q9)から成るラベルを伝える。記録に際してユーザはキーボード36を用いて記録すべきラベルを特定しうる。記録されたトラックを再生するに際してはラベルを表示装置34を介してユーザに提示して、ディスクの識別を助けることができる。
【００７７】
C ポインタ(LAS) の直後の位置(A″) ＝(A＋13″＋ 0″20) では15個の Dポインタ (Q2＝D0, D1,----DE)までに対しスペースを設けて好みのトラック選択 ( DPFTS )を実行させる。ユーザの目次UTOCにおけるB0ポインタの最後のバイトQ9は、実際に用いられる Dポインタの数を包含する。本例ではバイトQ3〜Q9に記録すべき14個のトラック数の好みのトラック順序に対しては初めの２つの DポインタD0とD1のみを用いるだけで充分である。又、本例では好みの順序に８つのトラック(05-06-07-08-02-03-07-08) のみを用い、D1ポインタの未使用バイトQ4〜Q9にはコードFFhex を入れるようにする。15個までの Dポインタを設けるため、領域 DPFTSは10×15＝150個のサブコードフレーム(2″00) を占めるようになる。従って、３つの領域UTOC,LAB及び DPFTSは1030＋20＋150 ＝1300個のフレームを占め、即ち、正確に16秒かかるようになる。
【００７８】
位置 (A3″) ＝ (A3＋16″00) の後には、出力校正領域PCA が約１秒、即ち、75個のサブコードフレームを占めると共にこの領域を記録装置で用いてデータの読取及び消去に必要なレーザの出力レベルを調整することができる。領域PCA には種々の末特定機能に対して用い得る約12秒のリザーブ領域 RSVを後続させて、非プレマスタードのリードーイン領域76及びノーゴー領域70の全体が全記録時間の約30秒を占めるようにする。これら種々の領域は図６には示してない。
【００７９】
本発明は記録媒体に記録される情報の種類にはほぼ無関係であることは明らかである。記録されるアイテムは上記の例で説明したようにディジタルオーディオトラックとしたが、これは短いビデオフィルム（しばしばポピュラーソングが記録されている）とすることもできる。オーディオ及びビデオの組合わさった同一の媒体において、記録されるアイテムをオペラ演奏からの個別のアリアとすることができる。本発明は汎用のものとして適用でき、上述した特定の用途のいずれも単なる例証に過ぎない。同様に、記録データの編成及びフォーマットは特定の用途及び使用する媒体に適えさせる設計事項である。
【００８０】
本発明は上述した例にのみ限定されるものではなく、要旨を変更しない範囲内で種々の変形または変更を加えることができることは勿論である。
【図面の簡単な説明】
【図１】  本発明による記録媒体を使用するのに好適な記録再生装置のブロック図である。
【図２】  本発明の第１実施例の記録媒体上のデータの編成を示す図である。
【図３】  図２の実施例にて記憶させるデータの一部分を詳細に示す図である。
【図４】  本発明の第２の実施例の記録媒体上のデータの編成を示す図である。
【図５】  図４の実施例にて記憶させるデータの一部を詳細に示す図である。
【図６】  本発明の第３実施例の記録媒体上のデータの編成を示す図である。
【図７】  図６の実施例にて記憶させるデータの一部分を詳細に示す図である。
【符号の説明】
１４  マイクロコンピュータ
１５  入力端子
１６  アナログ- デジタル変換器
１８  エンコーダ
２０  変調器
２２  読取／書込装置
２３  記録媒体
２４  アクチュエータ
２６  復調器
２８  デコーダ
３０  デジタル- アナログ変換器
３２  出力端子
３３  ランダムアクセスメモリ
３４  表示装置
３６  入力装置
３８  不揮発性メモリ
５０  らせんトラック
５２  プレマスタードリードイン領域
５４  プレマスタードリードアウト領域
５６  非プレマスタードリードイン領域
５８  主データ領域（アイテム記録領域）
【図１】
0003679012.tif 000004
【図２】
0003679012.tif 000005
【図３】
0003679012.tif 000006
【図４】
0003679012.tif 000007
【図５】
0003679012.tif 000008
【図６】
0003679012.tif 000009
【図７】
0003679012.tif 000010